(57)【特許請求の範囲】
【請求項１】
上ケースと下ケースとをネジで締結固定することにより形成される筐体部を有し、該筐体部内のコネクタを使用時は外部に露出させ、不使用時は外部から遮断するためのコネクタカバーと、前記ネジを外部から覆うためのネジキャップとを少なくとも備えた携帯端末機器において、
前記ネジの締結位置に対応した位置に設けられ、かつ、前記上ケース又は前記下ケースの側壁と係止するための弾性体の爪が形成されているネジキャップと、前記コネクタカバーとを一体化形成し、前記ネジキャップにより前記ネジを覆い、かつ、前記爪を前記上ケース又は前記下ケースの側壁と係止すると同時に、前記コネクタカバーを前記コネクタに対向した位置に配置されるようにしたことを特徴とする携帯端末機器。
【請求項２】
前記コネクタカバーの内側面には、前記コネクタを係止するリブが形成されていることを特徴とする請求項１記載の携帯端末機器。
【請求項３】
前記ネジキャップは中空円筒状であり、前記上ケースには締結後の前記ネジの頭を外部から露出させ、かつ、前記ネジキャップの外径よりも内径がやや小径の凹部が形成されると共に、該凹部の一部に前記爪を係止させるための穴が形成されており、前記ネジキャップは前記凹部に圧入されていることを特徴とする請求項１又は２記載の携帯端末機器。
【請求項４】
前記ネジキャップと前記コネクタカバーは、弾性体により構成されていることを特徴とする請求項３記載の携帯端末機器。
【請求項５】
前記上ケースと前記下ケースは、上部筐体部と下部筐体部とがヒンジ機構により開閉自在に結合されており、前記上部筐体部の内側面には少なくとも表示部が形成され、前記下部筐体部の内側面には各種ボタンが規則的に配列された操作部が少なくとも形成された折り畳み型携帯電話機の、前記下側筐体部を形成することを特徴とする請求項１乃至４のうちいずれか一項記載の携帯端末機器。
【発明の詳細な説明】
【０００１】
【発明の属する技術分野】
本発明は携帯端末機器に係り、特に折り畳み型携帯電話機等の携帯端末機器に関する。
【０００２】
【従来の技術】
図７は従来の携帯端末機器の一例の斜視図を示す。この従来の携帯端末機器は、折り畳み型携帯電話機１００で、上部筐体部１０１と下部筐体部１０２とがヒンジ機構１０３により開閉自在に結合されており、上部筐体部１０１の内側面に形成された表示部１０４と、下部筐体部１０２の内側面に形成された各種キーからなる操作部１０５等とが、不使用時には図８の斜視図に示すような対向密接する閉状態（折り畳み状態）とされ、使用時には図７に示すような両者が開かれた開状態とされる。
【０００３】
このような折り畳み型携帯電話機１００において、従来は折り畳み型携帯電話機１００の組み付け後に、下部筐体部１０２の前端部に設けられた充電のためのアダプタと接続されるコネクタを保護するコネクタカバー１０６を、その開閉のために必要な部分を下部筐体部１０２の所定部分に圧入する構成で個別に組み付けており、また、図８に示すネジキャップ１０７も個別に組み付けている。
【０００４】
【発明が解決しようとする課題】
このため、従来の携帯端末機器では、部品点数が多くなり、また、ネジキャップ１０７の圧入と、コネクタカバー１０６とネジキャップ１０７の組み付けが必要で組み付け工数に時間を取られている。また、従来は、ネジキャップ１０７を取り外す際に、鋭利なもので突き当てて外すことにより、傷が付き再利用不可となるという問題がある。
【０００５】
本発明は以上の点に鑑みなされたもので、組み付け工数を削減し得る携帯端末機器を提供することを目的とする。
【０００６】
また、本発明の他の目的は、ネジキャップの再利用が可能な携帯端末機器を提供することにある。
【０００７】
【課題を解決するための手段】
本発明は上記の目的を達成するため、上ケースと下ケースとをネジで締結固定することにより形成される筐体部を有し、筐体部内のコネクタを使用時は外部に露出させ、不使用時は外部から遮断するためのコネクタカバーと、ネジを外部から覆うためのネジキャップとを少なくとも備えた携帯端末機器において、ネジの締結位置に対応した位置に設けられ、かつ、上ケース又は下ケースの側壁と係止するための弾性体の爪が形成されているネジキャップと、コネクタカバーとを一体化形成し、ネジキャップによりネジを覆い、かつ、爪を上ケース又は下ケースの側壁と係止すると同時に、コネクタカバーをコネクタに対向した位置に配置されるようにしたことを特徴とする。
【０００８】
この発明では、ネジキャップとコネクタカバーが一体化形成されているため、ネジキャップによりネジを覆うと同時にコネクタカバーによりコネクタを覆う組付けができる。また、弾性体の爪によりネジキャップが上ケース又は下ケースから通常使用時には脱落しないようにでき、また、ある程度以上の力を加えることにより上ケース又は下ケースから外すことができる。
【０００９】
また、上記の目的を達成するため、本発明は上記のネジキャップとコネクタカバーを、弾性体により構成したことを特徴とする。この発明では、弾性体で構成されているため、落下による衝撃を吸収することができる。
【００１１】
また、上記の目的を達成するため、本発明は上記のコネクタカバーの内側面には、コネクタを係止するリブが形成されていることを特徴とする。この発明では、コネクタを覆うときにはコネクタカバーを確実に固定することができる。
【００１２】
また、上記の目的を達成するため、上記のネジキャップは中空円筒状であり、上ケースには締結後のネジの頭を外部から露出させ、かつ、ネジキャップの外径よりも内径がやや小径の凹部が形成されると共に、凹部の一部に爪を係止させるための穴が形成されており、ネジキャップは凹部に圧入されていることを特徴とする。この発明では、ネジキャップを上記の凹部に圧入する作業により簡単にネジキャップをネジを覆うようにでき、またある程度の力を加えることで簡単にネジキャップを外すことができる。
【００１３】
上記の上ケースと下ケースは、上部筐体部と下部筐体部とがヒンジ機構により開閉自在に結合されており、上部筐体部の内側面には少なくとも表示部が形成され、下部筐体部の内側面には各種ボタンが規則的に配列された操作部が少なくとも形成された折り畳み型携帯電話機の、下側筐体部を形成するようにしてもよい。
【００１４】
【発明の実施の形態】
次に、本発明の実施の形態について図面と共に説明する。図１は本発明になる携帯端末機器の一実施の形態の開状態時の斜視図、図２は図１の要部の斜視図、図３は本発明になる携帯端末機器の一実施の形態の閉状態時の斜視図、図４は図３のＡ−Ａ線に沿う断面図、図５は本発明になる携帯端末機器の一実施の形態の要部の分解斜視図、図６は図５の要部の斜視図を示す。各図中、同一構成部分には同一符号を付してある。
【００１５】
図１において、本発明の携帯端末機器の一実施の形態である折り畳み型携帯電話機１は、上部筐体部２と下部筐体部３とがヒンジ機構４により開閉自在に結合されており、上部筐体部２の内側面には電話番号等を表示する表示部５、受話用レシーバ６等が形成され、また、下部筐体部３の内側面には各種ボタン７が規則的に配列された操作部や送話用マイク８等が形成されている。また、下部筐体部３の外側面には電源供給のためのバッテリ９が着脱自在に設けられている。更に、下部筐体部３の前端部には、バッテリ９の充電やデータ転送時等にアダプタ等に接続されるコネクタを覆うためのコネクタカバー１０が開閉自在に形成されている。
【００１６】
本実施の形態も、使用時には図１に示すように、上部筐体部２の内側面と下部筐体部３の内側面とが開かれた開状態とされ、不使用時には図３の斜視図に示すように上部筐体部２の内側面と下部筐体部３の内側面とが対向密接する閉状態（折り畳み状態）とされる点は従来と同様であるが、本実施の形態の折り畳み型携帯電話機１は、コネクタカバー１０の構造に特徴がある。
【００１７】
次に、このコネクタカバー１０の構造について説明する。コネクタカバー１０は、図２に示すように下部筐体部３の前端部に設けられた、データ転送時やバッテリ充電時等でコネクタ１１を使用するときには、矢印Ｂ方向に回動されて外部に露出されるが、コネクタ１１を使用しないときには、図１及び図３の各斜視図に示すように、コネクタ１１に塵埃が進入しないようにコネクタ１１を覆っている（外部から遮断している）。また、コネクタカバー１０には、図３及び図５に示すように、容易に回動しながら開閉するためのスリット１２と、指で開け易いようにするための凹部１３とが対向する両側縁部にそれぞれ設けられている。
【００１８】
上記のコネクタカバー１０は、図３及び図５に示すように、２つの中空円柱状のネジキャップ１４と共に弾性体により一体成形されており、コネクタカバー１０の開閉時の屈曲性を確保すると共に、落下等の衝撃に対する吸収性を確保するようになされている。なお、コネクタカバー１０の開閉時の屈曲性と衝撃吸収性を確保できれば、コネクタカバー１０とネジキャップ１４とは硬質材と弾性体の複合成形とするようにしてもよい。
【００１９】
図６は図５に示したネジキャップ１４及びコネクタカバー１０を図５と反対方向から見た斜視図で、上記のネジキャップ１４には、故意にネジキャップ１４を外さない限り容易に外れないようにするための爪１５が所定位置に形成されている。また、図２、図３、図５等に示すように、コネクタカバー１０の内側面には、コネクタカバー１０を閉じたときにコネクタ１１を上下から狭持してコネクタカバー１０を係止するためのリブ１６が形成されている。なお、リブ１６は図２、図３、図５等に示した形状に限定されるものではなく、コネクタ１１を係止することができれば、どのような形状でもよい。
【００２０】
次に、ネジキャップ１４とそれに関連する周辺部分の構造について、図３及び図４と共に更に詳細に説明する。図３に示す折り畳み状態のときの底面外観図中のＡ−Ａ線に沿う断面図である図４において、下部筐体部３の上ケース３ａと下ケース３ｂとは、ネジ１７により固定されている。
【００２１】
また、上ケース３ａのネジ１７の上部の対応する位置には、ネジ１７の頭を隠すネジキャップ１４が圧入される程度の内径の凹部１８が形成されており、更に上ケース３ａの凹部１８の一部には、凹部１８に圧入されたネジキャップ１４の爪１５を係止するための穴１９が穿設されている。これにより、ネジキャップ１４を凹部１８に圧入すると、爪１５が上ケース３ａの所定の側壁に係止されて、ネジキャップ１４が上ケース３ａから実使用上は容易には外れないが、ある程度以上の力で引っ張ると外すことができることとなる。
【００２２】
次に、コネクタカバー１０の上ケース３ａへの組付け方法について図４及び図５と共に詳細に説明する。上ケース３ａと下ケース３ｂとを嵌合させ、ネジ１７で両者を締結した後の図５に示す状態の携帯電話機１の凹部１８に、コネクタカバー１０と一体成形されたネジキャップ１４を図５中、下方向に挿入していく。この挿入時、凹部１８の内径はネジキャップ１４の外径よりも若干小径に形成されており、かつ、弾性体のネジキャップ１４が中空円筒状であり、その中空部（図４の１４ａ）により挿入時にネジキャップ１４が中心方向に撓むので、ネジキャップ１４は爪１５が凹部１８の内壁に引っ掛かることなく、接触しながら、圧入される。
【００２３】
この圧入により、図４の断面図に示すように、爪１５が穴１９に入り込んで上ケース３ａの側壁に係止されると、圧入が終了し、ネジキャップ１４によりネジ１７が外部に露出しないように隠されると共に、コネクタカバー１０によりコネクタ１１が覆われて組付け終了となる。このとき、コネクタカバー１０の内側面に形成されたリブ１６がコネクタ１１に係止されることにより、通常使用時にコネクタカバー１０が簡単に開かないようにできる。また、爪１５が上ケース３ａの側壁に係止されるので、実使用上、容易に外れないようにできる。
【００２４】
また、修理などのため、上ケース３ａと下ケース３ｂとのネジ止めを解除する必要がある場合は、ネジキャップ１４とコネクタカバー１０とからなる部材を、図５中、上方向に所定以上の力で引き上げることにより、爪１５が弾性により変形して上ケース３ａの側壁との係止が解除されるため、凹部１８から容易に外すことができ、ネジ１７の頭を露出させることができる。
【００２５】
このように、本実施の形態によれば、コネクタカバー１０とネジキャップ１４とを共有化して一体構成としたため、部品点数を削減できると共に、ネジキャップ１４を凹部１８に爪１５が上ケース３ａの側壁に係止されるまで圧入することにより、コネクタカバー１０も同時に固定させることができるため、組立工数を削減することができる。また、コネクタカバー１０とネジキャップ１４とは、弾性体で構成するようにしたため、落下の衝撃を吸収することができ、破損を防ぐことができる。更に、本実施の形態では、ネジキャップ１４に爪１５を設けているので、ネジキャップ１４を故意に外さない限り容易に外れることは無く、また、故意に外しても再利用ができる。
【００２６】
なお、本発明は上記の実施の形態に限定されるものではなく、例えば、折り畳み型携帯電話機以外の携帯電話機などの他の携帯端末機器に適用可能である。
【００２７】
【発明の効果】
以上説明したように、本発明によれば、ネジキャップとコネクタカバーを一体化形成することで、ネジキャップによりネジを覆うと同時にコネクタカバーによりコネクタを覆う組付けができるようにしたため、従来に比べて部品点数を削減することができると共に、組立工数を削減することができる。
【００２８】
また、本発明によれば、ネジキャップとコネクタカバーを、弾性体により構成することで、落下による衝撃を吸収することができるようにしたため、コネクタカバーやネジキャップの落下による破損を防止することができる。
【００２９】
また、本発明によれば、弾性体の爪によりネジキャップが上ケース又は下ケースから通常使用時には脱落しないようにでき、また、ネジキャップ及びコネクタカバーが一体成形された部材をある程度以上の力で簡単に取り外せるため、ネジキャップ及びコネクタカバーを再利用することができる。
【００３０】
更に、本発明によれば、コネクタカバーの内側面に、コネクタを係止するリブを形成するようにしたため、コネクタを覆うときにはコネクタカバーを確実に固定することができる。
【図面の簡単な説明】
【図１】本発明の一実施の形態の開状態時の斜視図である。
【図２】図１の要部であるコネクタカバーを開いた時の部分斜視図である。
【図３】本発明の一実施の形態の閉状態時の斜視図である。
【図４】図３中のＡ−Ａ線に沿う断面図である。
【図５】本発明の一実施の形態の要部の分解斜視図である。
【図６】図５中のネジキャップ及びコネクタカバーを図５と反対側から見た図である。
【図７】従来の携帯端末機器の一例の開状態時の斜視図である。
【図８】従来の携帯端末機器の一例の閉状態時の斜視図である。
【符号の説明】
１  折り畳み型携帯電話機
２  上部筐体部
３  下部筐体部
３ａ  上ケース
３ｂ  下ケース
４  ヒンジ機構
５  表示部
６  レシーバ
７  ボタン
８  マイク
９  バッテリ
１０  コネクタカバー
１１  コネクタ
１２  スリット
１３、１８  凹部
１４  ネジキャップ
１４ａ  中空部
１５  爪
１６  リブ
１７  ネジ
１９  穴
【図１】
0003678697.tif 000002
【図２】
0003678697.tif 000003
【図３】
0003678697.tif 000004
【図４】
0003678697.tif 000005
【図５】
0003678697.tif 000006
【図６】
0003678697.tif 000007
【図７】
0003678697.tif 000008
【図８】
0003678697.tif 000009